【手続補正書】
【提出日】平成18年4月4日(2006.4.4)
【手続補正１】
【補正対象書類名】明細書
【補正対象項目名】発明の名称
【補正方法】変更
【補正の内容】
【発明の名称】レトルト殺菌可能なピルファープルーフキャップ用ライナー組成物、それを用いたレトルト殺菌可能なピルファープルーフ用キャップおよびその製造方法
【手続補正２】
【補正対象書類名】明細書
【補正対象項目名】特許請求の範囲
【補正方法】変更
【補正の内容】
【特許請求の範囲】
【請求項１】
（Ａ）ハード成分が芳香族ポリエステル、ソフト成分が脂肪族ポリエーテルからなるポリエステル系エラストマー１００重量部と
（Ｂ）（ｉ）潤滑剤として高級脂肪酸アミド０．８〜２．０重量部を用い、かつ（ii）該高級脂肪酸アミドのうち少なくとも０．５重量部がエルカ酸アミドである潤滑剤
とを含有する高分子組成を有し、その組成物のＤ硬度が４３〜５２（ＡＳＴＭ  Ｄ２２４０）であり、メルトフローレート（ＭＦＲ）が３〜１５ｇ／１０分（ＡＳＴＭ  Ｄ１２３８、２３０℃において）であることを特徴とするレトルト殺菌可能なピルファープルーフキャップ用ライナー組成物。
【請求項２】  請求項１記載のレトルト殺菌可能なピルファープルーフキャップ用ライナー組成物を、２１０〜２５０℃に加熱した状態でモールド金型内に置かれたキャップ内面中央部に吐出し、モールド金型で所望の形状に成形することを特徴とするレトルト殺菌可能なピルファープルーフ用キャップの製造方法。
【請求項３】  請求項１記載のレトルト殺菌可能なピルファープルーフキャップ用ライナー組成物を用いて作ったピルファープルーフキャップであって、このキャップを用いて密封した缶詰を５〜５５℃で１ヶ月保存した後の開栓トルクがＤ×０．０４３Ｎｍ〔Ｄはキャップの径（ｍｍ）〕以下であることを特徴とするレトルト殺菌可能なピルファープルーフ用キャップ。
【手続補正３】
【補正対象書類名】明細書
【補正対象項目名】０００５
【補正方法】変更
【補正の内容】
【０００５】
【発明が解決しようとする課題】
本発明の目的は、前記問題点を解消したＰＰキャップ用ライナー組成物、それを用いたＰＰキャップライナー、それを用いたＰＰキャップ及びその製造方法を提供する点にある。詳しくは、広い温度範囲〔冷蔵庫（５℃前後）からレトルト処理（１１５〜１３０℃で約３０分間というのが標準である）〕に於いて弾性があり、且つモールデング作業適性が良好で、密封性及び低温（冷蔵保存）から高温（ホットベンダー）までの開栓性が良好なレトルト殺菌可能なＰＰキャップ用ライナー組成物、それを用いたＰＰキャップ及びその製造方法を提供する点にある。
【手続補正４】
【補正対象書類名】明細書
【補正対象項目名】０００６
【補正方法】変更
【補正の内容】
【０００６】
【課題を解決するための手段】
本発明の第１は、（Ａ）ハード成分が芳香族ポリエステル、ソフト成分が脂肪族ポリエーテルからなるポリエステル系エラストマー１００重量部と
（Ｂ）（ｉ）潤滑剤として高級脂肪酸アミド０．８〜２．０重量部を用い、かつ（ii）該高級脂肪酸アミドのうち少なくとも０．５重量部がエルカ酸アミドである潤滑剤
とを含有する高分子組成を有し、その組成物のＤ硬度が４３〜５２（ＡＳＴＭ  Ｄ２２４０）であり、メルトフローレート（ＭＦＲ）が３〜１５ｇ／１０分（ＡＳＴＭ  Ｄ１２３８、２３０℃において）であることを特徴とするレトルト殺菌可能なピルファープルーフキャップ用ライナー組成物に関する。
本発明の第２は、請求項１記載のレトルト殺菌可能なピルファープルーフキャップ用ライナー組成物を、２１０〜２５０℃に加熱した状態でモールド金型内に置かれたキャップ内面中央部に吐出し、モールド金型で所望の形状に成形することを特徴とするレトルト殺菌可能なピルファープルーフ用キャップの製造方法に関する。
本発明の第３は、請求項１記載のレトルト殺菌可能なピルファープルーフキャップ用ライナー組成物を用いて作ったピルファープルーフキャップであって、このキャップを用いて密封した缶詰を５〜５５℃で１ヶ月保存した後の開栓トルクがＤ×０．０４３Ｎｍ〔Ｄはキャップの径（ｍｍ）〕以下であることを特徴とするレトルト殺菌可能なピルファープルーフ用キャップに関する。
【手続補正５】
【補正対象書類名】明細書
【補正対象項目名】００４１
【補正方法】変更
【補正の内容】
【００４１】
比較例１０
実施例５の潤滑剤のエルカ酸アミドを１.０重量部から０.２重量部に削減し、オレイン酸アミド０.２重量部とモンタンワックス１.０重量部を加えた以外は、実施例５と同様の方法で試験した。ライナーのＤ硬度、ＭＦＲのデータを含め、試験結果は下記表４の通りである。
【手続補正６】
【補正対象書類名】明細書
【補正対象項目名】００４２
【補正方法】変更
【補正の内容】
【００４２】
比較例１１
比較例８の潤滑剤エルカ酸アミド０．５重量部を１.０重量部に増量し、エチレンビスオレイン酸アミド及びステアリン酸カルシウムを削除し、かつ、ホホバ油を２.０重量部加え、低密度ポリエチレン（ＰＥ）〔日本ユニカー（株）ＤＵＤＪ−０４０５〕を１０重量部添加した以外は比較例８と同様の方法で試験した。ライナーのＤ硬度、ＭＦＲのデータを含め、試験結果は下記表４の通りである。
【手続補正７】
【補正対象書類名】明細書
【補正対象項目名】００４３
【補正方法】変更
【補正の内容】
【００４３】
比較例１２
比較例１１の低密度ポリエチレン（ＰＥ）１０重量部をポリプロピレン（ＰＰ）〔（株）グランドポリマーＪ７０４〕１０重量部に変更した以外は、比較例１１と同様の方法で試験した。ライナーのＤ硬度、ＭＦＲのデータを含め、試験結果は下記表４の通りである。
【手続補正８】
【補正対象書類名】明細書
【補正対象項目名】００４４
【補正方法】変更
【補正の内容】
【００４４】
比較例１３
比較例１１のＨＤＰＥ１０重量部に変えて、Ａｅｒｏｓｉｌ３００（ＤＥＧＵＳＳＡ独）を４重量部を添加した以外は比較例１１と同様の方法で試験した。ライナーのＤ硬度、ＭＦＲのデータを含め、試験結果は下記表４の通りである。
【手続補正９】
【補正対象書類名】明細書
【補正対象項目名】００４５
【補正方法】変更
【補正の内容】
【００４５】
【表３】
2004306996.tif 000001
【手続補正１０】
【補正対象書類名】明細書
【補正対象項目名】００４６
【補正方法】変更
【補正の内容】
【００４６】
【表４】
2004306996.tif 000002
【手続補正１１】
【補正対象書類名】明細書
【補正対象項目名】００４７
【補正方法】変更
【補正の内容】
【００４７】
１．試験キャップの作成
直径２８ｍｍのＰＰキャップの内面に、上記試験ペレット５５０〜５８０ｍｇをのせ２３０℃のオーブンに入れて加熱溶融後、所定の金型で成形して試験キャップとした。作製したキャップを用いて以下の方法で充填し、ライナー性能評価試験の試料とした。５００ｃｃのボトル缶に９０℃の温水を４８５ｇ充填し、閉栓後の内圧が１.５±０.５ｋｇ／ｃｍ２（ａｔ２０℃）になる様に液体窒素（ＬＮ）充填して、巻締め荷重１２０ｋｇｆで閉栓した。これを１２５℃で３０分間レトルト処理後、冷却したものを試料とした。
【手続補正１２】
【補正対象書類名】明細書
【補正対象項目名】００４８
【補正方法】変更
【補正の内容】
【００４８】
２．評価試験
（ｉ）モールド成形性
二軸押出混練機ノズル出口でペレット状にカットする際、糸引きや粘着が発生し易かったり、成形金型による成形時に欠陥の発生しやすいものを×とした（取り扱い作業性やモールド成形性の良好なものを○とした）。
（ii）耐レトルト性
レトルト時の漏洩発生の有無にて評価した。具体的には内圧が所定の圧力のものを○、減圧しているものを×とした。
（iii）耐衝撃性
落錘試験で缶内圧に異常の発生しないものを○、減圧したものを×とした。具体的には衝撃が１０度傾斜した５００ｇの円錐荷重を３０ｃｍ高さから蓋巻締め部に落下し、この衝撃での缶内圧変化の有無を調査する。
（iv）開栓性
（１）室温（ＲＴ）開栓トルク
充填後室温に１週間及び１ヶ月放置後、トルクメーターで開栓トルクを測
定した。
評価は、０．５〜１．２Ｎ・ｍを○、０．５Ｎ・ｍ未満又は１．２Ｎ・ｍ
を上回るものを×とした。
（２）５５℃開栓トルク
ホットベンダー販売を想定し、充填後、５５℃に１週間及び１ヶ月間貯蔵
し、恒温貯蔵庫から取り出して即トルクメーターで測定した。
評価は室温貯蔵の場合に準じた。
（３）シール長さ
開栓時、キャップが廻り始めてから内圧が抜けるまでの回転距離（長さ）
を測定した。
評価は、回転長さが１０〜２５ｍｍを○とし、これより短かったり、長い
ものは×とした。キャップは開栓するとブリッジが破断して、開栓したこと
が外観で判断できる。従って、ブリッジが破断する前に、内圧が抜けたり、
また、外気と内容物が触れるようなことがあっては絶対許されない。その評
価として、シール長さの評価が存在する。つまり回転長さが１０〜２５ｍｍ
を○としたときこの範囲であれば、ブリッジが破断してから内圧は抜ける状
態になる。また、これより回転長さが短いものはブリッジが破断する前に内
圧が抜けてしまう。もし、市場で売られた場合、消費者はブリッジが破断し
てないことで開封していないと思って買うが、開けてみると内圧が抜けた
（炭酸等が抜けた）または、外気の菌が混入した飲料等を口にするおそれが
ある。また逆にこれより長いと開栓性に問題が発生する。つまり長いほどそ
の間はライナーからの摩擦抵抗が開栓トルクとしてはねかえってくることに
なる。
（ｖ）潤滑剤の過剰ブルーム
潤滑剤が過剰にライナー表面にブルームして、内容物へ落ち込む事がある。室温１ヶ月貯蔵品及び５５℃１ヶ月貯蔵品をそれぞれビーカーにあけ、１日後に潤滑剤の浮きの有無を肉眼調査した。潤滑剤が液表面に浮いているものを×、異常のないものを○とした。